(57)【要約】【課題】メディアの表面形状を直接的に、かつ高精度で測定できる方法、および再生出力およびＳ／Ｎ比の向上に有効な表面形状を有し、高密度記録が可能な情報記録用メディアを提供する。【解決手段】複数の単位格子から構成される格子縞を、メディアの表面に投影し、前記単位格子の投影像の形状からメディアの表面形状を測定するメディアの表面形状測定方法、およびその方法によって測定される単位格子の投影像におけるＸ軸方向の長さの平均値（ＡＶＧＸ）と標準偏差（σＸ）の比：σＸ／ＡＶＧＸ、およびＹ軸方向の長さの平均値（ＡＶＧＹ）と標準偏差（σＹ）の比：σＹ／ＡＶＧＹの少なくとも一方が、０．０５未満である情報記録用メディア。【選択図】      図１
2004333230.tif 000002
【特許請求の範囲】
【請求項１】
張力を加えたメディアの表面、または張力を加えるとともにヘッドに当接されたメディアの表面形状を測定する方法であって、
複数の単位格子から構成される格子縞を、前記メディアの表面に投影し、前記単位格子の投影像の形状から前記メディアの表面形状を測定することを特徴とするメディアの表面形状測定方法。
【請求項２】
前記格子縞は、前記単位格子の投影像の辺の長さが１〜１．５ｍｍとなるようにメディアの表面に投影することを特徴とする請求項１に記載のメディアの表面形状測定方法。
【請求項３】
前記メディアの表面に対して４５度の角度から前記格子縞を投影することを特徴とする請求項１または請求項２に記載のメディアの表面形状測定方法。
【請求項４】
張力を加えたメディアの表面、または張力を加えるとともにヘッドに当接されたメディアの表面に、複数の単位格子から構成される格子縞を前記メディアの表面に投影して、前記単位格子の投影像について測定されるＸ軸方向およびＹ軸方向の長さＸｎとＹｎを測定し、そのＸｎの平均値（ＡＶＧＸ）と標準偏差（σＸ）、およびＹｎの平均値（ＡＶＧＹ）と標準偏差（σＹ）が、下記式（１）および式（２）の少なくとも一方を満たす関係を有することを特徴とする情報記録用メディア。
（σＸ／ＡＶＧＸ）＜０．０５                （１）
（σＹ／ＡＶＧＹ）＜０．０５                （２）
【発明の詳細な説明】
【０００１】
【発明の属する技術分野】
本発明は、メディアの表面形状測定方法および情報記録用メディアに関する。
【０００２】
【従来の技術】
従来、磁気テープ、磁気ディスク等のメディアが、業務用、民生用分野での情報記録用やデータストレージのバックアップ用に使われている。このメディアは、近年、益々増大する情報、データに対応するため、そのデータ等を高密度で記録することが求められている。そして、高密度に記録されたデータ等を読み取る場合には、メディアに記録された信号の再生出力の向上、Ｓ／Ｎ比を向上させることが必要である。そのため、メディアと、そのメディアから信号を読み取る磁気ヘッドとは良好な接触状態であることが望ましい。
【０００３】
ところで、メディアの表面状態を測定する方法としては、従来から触針式表面形状測定法、光干渉式表面形状測定法等がある（特許文献１、特許文献２参照）。また、メディアの剛性を測定してヘッドとの接触状態を判断する方法もある（特許文献３参照）。しかし、これらの測定方法は、メディアとヘッドとの接触状態を間接的な指標によって測定するものであり、接触状態を直接的に測定するものではない。
【０００４】
また、サーペインタイン方式のリニア系情報記録装置では、磁気ヘッドは磁気テープの幅方向全体に渡って接触している。そのため、磁気テープは、その幅方向に渡る広い範囲で、磁気ヘッドと良好に接触していることが求められる。しかし、従来の測定方法では、磁気テープの全幅に渡る広範囲な表面の形状を測定することは困難であった。
【０００５】
【特許文献１】
特開平９−１５１１９号公報（請求項２、図１）
【特許文献２】
特開平９−２５０９１５号公報（図１）
【特許文献３】
特開平７−３０６１２９号公報（請求項１）
【０００６】
【発明が解決しようとする課題】
そこで、本発明の目的は、メディアの表面形状を直接的に、かつ高精度で測定できる方法、および再生出力およびＳ／Ｎ比の向上に有効な表面形状を有し、高密度記録が可能な情報記録用メディアを提供することにある。
【０００７】
【課題を解決するための手段】
上記目的を達成するために、請求項１に記載の発明は、張力を加えたメディアの表面、または張力を加えるとともにヘッドに当接されたメディアの表面形状を測定する方法であって、複数の単位格子から構成される格子縞を、前記メディアの表面に投影し、前記単位格子の投影像の形状から前記メディアの表面形状を測定することを特徴とするメディアの表面形状測定方法を発明の構成とする。
【０００８】
このメディアの表面形状測定方法では、メディア表面に投影された格子縞の各単位格子の投影像の形状を測定することによって、メディアの表面形状を直接的かつ高精度に測定することができる。
【０００９】
また、請求項２に記載の発明は、請求項１に記載のメディアの表面形状測定方法において、前記格子縞は、前記単位格子の投影像の辺の長さが１〜１．５ｍｍとなるようにメディアの表面に投影することを特徴とする。
【００１０】
このメディアの表面形状測定方法では、メディア表面に、単位格子の投影像の辺の長さが１〜１．５ｍｍとなるように格子縞を投影することによって、メディアの表面形状の測定を高精度で行うことが可能となる。
【００１１】
また、請求項３に記載の発明は、請求項１または請求項２に記載のメディアの表面形状測定方法において、前記メディアの表面に対して４５度の角度から前記格子縞を投影することを特徴とする。
【００１２】
このメディアの表面形状の測定方法では、メディア表面に対して４５度の角度から格子縞を投影することによって、メディア表面に形成される単位格子の投影像によるメディア表面形状の測定を高精度で行うことができる。
【００１３】
さらに、請求項４に記載の発明は、張力を加えたメディアの表面、または張力を加えるとともにヘッドに当接されたメディアの表面に、複数の単位格子から構成される格子縞を前記メディアの表面に投影して、前記単位格子の投影像について測定されるＸ軸方向およびＹ軸方向の長さＸｎとＹｎを測定し、そのＸｎの平均値（ＡＶＧＸ）と標準偏差（σＸ）、およびＹｎの平均値（ＡＶＧＹ）と標準偏差（σＹ）が、下記式（１）および式（２）の少なくとも一方を満たす関係を有することを特徴とする情報記録用メディアを発明の構成とする。
（σＸ／ＡＶＧＸ）＜０．０５                （１）
（σＹ／ＡＶＧＹ）＜０．０５                （２）
【００１４】
この情報記録用メディアは、表面に投影された格子縞を構成する各単位格子の投影像が、前記式（１）で表される関係を示す表面形状を有するため、高い再生出力および高Ｓ／Ｎ比を示し、高密度記録を達成することができる。
【００１５】
【発明の実施の形態】
本発明の実施形態について図面を参照しながら詳細に説明する。
図１は、本発明のメディアの表面形状測定方法に基づいて、磁気テープ（メディア）の表面形状を測定する実施形態の概略を示す斜視図である。
【００１６】
図１において、１は磁気テープ、２は格子縞体、３は光源、４はＣＣＤカメラである。
【００１７】
磁気テープ１は、テープ幅１．２７ｃｍ（１／２インチ）のテープであり、ロール５ａ、５ｂの間に、張力が加わった状態で架設され、その中央部が磁気ヘッド６に摺接されている。
【００１８】
格子縞体２は、少なくとも測定する磁気テープ１の全幅に渡って投影像を形成できる大きさのものが用いられ、幅１ｍｍ程度の格子線からなる区画線２ａによって、一辺が１ｍｍ程度の正方形に区画された単位格子２ｂを、縦横に複数個並べた構造を有するものである。この格子縞体２は、例えば、光透過性に優れる透明フィルムからなるものが好ましい。
【００１９】
また、光源３は、白色光を照射するものであり、例えば、ハロゲンランプにより構成される。また、光源３として、白色蛍光灯、ナトリウムランプ、キセノンランプ等を用いてもよい。
【００２０】
この格子縞体２と光源３は、テープ上に、格子縞の単位格子の投影像（ひし形）が均一に形成され、かつその投影像が撮影可能であるように、図１に示すように、磁気テープ１の表面に対して４５度の角度から格子縞体２の投影像を投影するように配置することが、好ましい。また、磁気テープ１の表面に投影された単位格子の投影像が、辺の長さが１〜１．５ｍｍとなるようにメディアの表面に投影する
【００２１】
ＣＣＤカメラ４は、光源３より照射される光によって、図２に示すように、磁気テープ１の表面に投影される格子縞体２の投影像７を撮像するものである。なお、格子縞の投影像は、ＣＣＤカメラに限定されず、例えば、拡大鏡等を用いて目視、あるいは画像処理等によって測定することができる。
【００２２】
磁気テープ１の表面に投影される格子縞の投影像７は、図３（ａ）に示すように、格子縞を構成する各単位格子の投影像７ａが、磁気テープ１の表面形状に対応して、Ｘ軸（磁気テープの長手方向）およびＹ軸方向（磁気テープの幅方向）に伸長または縮短した形状を形成する。そして、図３（ｂ）に示すように、この各単位格子の投影像７ａのＸ軸方向（磁気テープの長手方向）のＸｎ、およびＹ軸方向（磁気テープの幅方向）の長さＹｎを測定する。そして、長さＸｎの平均値ＡＶＧＸおよび標準偏差σＸ、および長さＹｎの平均値ＡＶＧＹおよび標準偏差σＹを求め、σＸ／ＡＶＧＸおよびσＹ／ＡＶＧＹの少なくとも一方によって磁気テープ１の表面形状を評価することができる。このσＸ／ＡＶＧＸおよびσＹ／ＡＶＧＹは、後述のとおり、磁気テープの再生出力との相関関係を示すので、この長さＸｎおよびＹｎの測定によって求められるσＸ／ＡＶＧＸおよびσＹ／ＡＶＧＹによって、磁気テープ１の再生出力の良否を評価することができる。
【００２３】
このとき、Ｘ軸方向およびＹ軸方向の長さＸｎ、Ｙｎは、少なくとも５個以上の単位格子の投影像について測定することが好ましい。また、長さＸｎおよびＹｎの測定は、拡大鏡を用いて目視で行ってもよいし、画像処理によって行ってもよい。
【００２４】
また、ロール５ａ、５ｂを回転させて、磁気テープ１を磁気ヘッド６と摺接させながら、一定の速度で磁気テープ１を走行させ、所定の時間間隔で格子縞の投影像７を撮影する。そして、得られる単位格子の投影像７ａについて、前記長さＸｎおよびＹｎを測定し、その平均値ＡＶＧＸ、σＸ、およびＡＶＧＹ、σＹの少なくとも一方を求めて、σＸ／ＡＶＧＸ、およびσＹ／ＡＶＧＹから、連続的に磁気ヘッド上を通過する磁気テープ１の表面、もしくは特定の個所の磁気テープの表面形状の経時変化を測定することもできる。
【００２５】
さらに、例えば、図２に示すとおり、磁気テープ１が磁気ヘッド６と摺接する直前の個所Ｂ、磁気テープ１が磁気ヘッド６と摺接している個所Ａ、磁気テープ１が磁気ヘッド６と摺接した直後の個所Ｃは、それぞれ磁気テープ１と磁気ヘッド６の接触状態を評価する場合に重要な個所であるが、これらの個所の表面形状を別個独立に測定することも可能である。
【００２６】
次に、この実施形態にしたがって、磁気テープ１の表面形状（Ｘｎ、Ｙｎ）を測定するとともに、その磁気テープ１の再生出力（％）を測定した結果を示す。
図４は、単位格子の投影像のＸ軸方向の長さＸｎについて求められる平均値（ＡＶＧＸ）およびその標準偏差（σＸ）の比：（σＸ／ＡＶＧＸ）を横軸にとり、その磁気テープの再生出力（％）を縦軸に取って図示したグラフである。また、図５は、Ｙ軸方向の長さＹｎについて求められる平均値（ＡＶＧＹ）および標準偏差（σＹ）の比：（σＹ／ＡＶＧＹ）を横軸に取り、その磁気テープの再生出力（％）を縦軸に取って図示したグラフである。
【００２７】
この図４および図５に示す結果から、磁気テープが、ＸｎおよびＹｎの平均値（ＡＶＧＸ）および（ＡＶＧＹ）、ならびに標準偏差（σＸ）および（σＹ）が下記式（１）および式（２）：
（σＸ／ＡＶＧＸ）＜０．０５                （１）
（σＹ／ＡＶＧＹ）＜０．０５                （２）
の少なくとも一方を満たす関係を有する表面形状を有する場合に、良好な再生出力を示すことが分る。
【００２８】
【発明の効果】
本発明の方法によれば、メディアの表面形状を直接的、かつ高精度で測定できる。しかも、張力を加えたメディアの表面、または実用に近い条件、すなわち、張力を加えてヘッドと接触させた状態において、メディアの表面形状を直接的かつ高精度で測定することができる。そのため、本発明の方法は、メディアとヘッドとの接触状態によって実際に大きな影響を受ける再生出力とよく対応する表面形状を測定することができる。そのため、本発明の方法は、高密度記録が求められるテープの表面形状測定法として有効である。
【００２９】
また、本発明の情報記録メディアは、前記Ｘｎの平均値（ＡＶＧＸ）と標準偏差（σＸ）およびＹｎの平均値（ＡＶＧＹ）と標準偏差（σＹ）の少なくとも一方が前記式（１）または前記式（２）で表される関係を有する表面形状を有する場合には、良好な再生出力を示し、高密度記録が可能である。
【図面の簡単な説明】
【図１】本発明のメディアの表面形状測定方法に係る実施形態を示す概略斜視図である。
【図２】磁気テープ表面の投影された格子縞を示す平面図である。
【図３】投影された格子縞の拡大模式図である。
【図４】磁気テープの再生出力と単位格子の投影像のσＸ／ＡＶＧＸとの関係を示すグラフである。
【図５】磁気テープの再生出力と単位格子の投影像のσＹ／ＡＶＧＹとの関係を示すグラフである。
【符号の説明】
１      磁気テープ
２      格子縞体
３      光源
４      ＣＣＤカメラ
６      磁気ヘッド
７      投影像
７ａ  単位格子の投影像
【図１】
2004333230.tif 000003
【図２】
2004333230.tif 000004
【図３】
2004333230.tif 000005
【図４】
2004333230.tif 000006
【図５】
2004333230.tif 000007